(57)【要約】本発明は、１つ又はそれ以上の電子及び／又はワイヤレス機器と協働するインタフェース、充電式電源、一体化アンテナ、及びワイヤレス通信システムを有する鞄又は運搬容器に係る。該鞄によってユーザは、移動中に多種の電子装置／付属品を空間、効率性及び操作の点からみてよりよく管理することができる。
2007504922.tif 000002
【特許請求の範囲】
【請求項１】
１つ又はそれ以上の電子及び／又はワイヤレス機器と協働するインタフェースと、
電源と、
を有し、
前記インタフェースは、前記１つ又はそれ以上の電子及び／又はワイヤレス機器と、前記電源との間の前記協働を促進する、
鞄。
【請求項２】
前記インタフェースは、１つ又はそれ以上のコネクタを有する、
請求項１記載の鞄。
【請求項３】
前記１つ又はそれ以上のコネクタは、ケーブル型接続、ドッキング型接続、無線型接続、赤外線型接続、又はワイヤレス型接続、あるいは同様のものいずれかの組合せを有する異なる型の接続を収容する、
請求項２記載の鞄。
【請求項４】
前記電源は、充電式バッテリである、
請求項１記載の鞄。
【請求項５】
前記充電式バッテリは、発電組立体を介して充電される、
請求項４記載の鞄。
【請求項６】
前記発電組立体は、前記鞄の１つ又はそれ以上の車輪と協働し、前記１つ又はそれ以上の車輪を回転可能に作動させることによって前記充電式バッテリが充電されるようにする、
請求項５記載の鞄。
【請求項７】
前記充電式バッテリは、外部電源を介して充電される、
請求項４記載の鞄。
【請求項８】
前記充電式バッテリは、前記鞄の表面に一体化される、
請求項４記載の鞄。
【請求項９】
アンテナを更に有する、請求項１記載の鞄。
【請求項１０】
前記アンテナは、前記１つ又はそれ以上の電子及び／又はワイヤレス機器の容量を高める、
請求項９記載の鞄。
【請求項１１】
前記アンテナは、前記鞄の表面と一体になった印刷導電インクである、
請求項９記載の鞄。
【請求項１２】
前記アンテナは、前記表面を介して前記１つ又はそれ以上の電子及び／又はワイヤレス機器と協働する、
請求項９記載の鞄。
【請求項１３】
１つ又はそれ以上の電子及び／又はワイヤレス機器上で協働するインタフェースと、
アンテナと、１つ又はそれ以上の電子及び／又はワイヤレス機器と、
前記インタフェースは、前記１つ又はそれ以上の電子及び／又はワイヤレス機器と前記アンテナとの間の協働を促進する、
鞄。
【請求項１４】
前記アンテナは、前記鞄の表面上にある、
請求項１３記載の鞄。
【請求項１５】
前記アンテナは、前記鞄の表面と一体になった印刷導電インクである、
請求項１３記載の鞄。
【請求項１６】
前記アンテナは、前記インタフェースを介して前記１つ又はそれ以上の電子及び／又はワイヤレス機器と協働する、
請求項１３記載の鞄。
【請求項１７】
１つ又はそれ以上の電子及び／又はワイヤレス機器と協働するインタフェースと、
ワイヤレス通信システムと、
を有し、
前記インタフェースは、前記１つ又はそれ以上の電子及び／又はワイヤレス機器と前記ワイヤレス通信システムとの間の前記共同を促進する、
鞄。
【請求項１８】
積算電源を更に有する、請求項１７記載の鞄。
【請求項１９】
前記インタフェースは、１つ又はそれ以上のコネクタを有する、
請求項１記載の鞄。
【請求項２０】
前記１つ又はそれ以上のコネクタは、ケーブル型接続、ドッキング型接続、無線型接続、赤外線型接続、又はワイヤレス型接続、あるいは同様のもののいずれかの組合せを有する異なる型の接続を収容する、
請求項１９記載の鞄。
【発明の詳細な説明】
【技術分野】
【０００１】
本発明は、鞄に係る。より特には、本発明は多種の携帯可能な電子機器及び／又はワイヤレス機器と協働する鞄に係る。
【背景技術】
【０００２】
ビジネスマン等は移動する際に、ラップトップ型コンピュータ、携帯電話、携帯プリンタ、ＰＤＡ、ＤＶＤ／ＣＤ再生機、プロジェクタ／カメラ、及び対応する付属品（バッテリ充電器、変圧器、アダプタ等）等の、多種の電子機器を携行するよう求められる。多種の電子１５機器／付属品の管理は、空間、効率、及び使用に関してしばしば困難な仕事である。
【０００３】
例えば、米国特許第５，１０５，３３８号明細書（特許文献１）、米国特許第５，２１７，１１９号明細書（特許文献２）、米国特許第５，３７９，８９３号明細書（特許文献３）、米国特許第５，４００，９０３号明細書（特許文献４）、米国特許第５，４９４，１５７号明細書（特許文献５）、米国特許第５，５２４，７５４号明細書（特許文献６）、米国特許第５，６０７，０５４号明細書（特許文献７）、米国特許第５，６３９，００４号明細書（特許文献８）、米国特許第５，９７１，１４８号明細書（特許文献９）、米国特許第６，０９８，７６９号明細書（特許文献１０）を参照すると、多種の携帯用ケースが、電子装置を有して移動する際の課題のうちのいくつかを最小限にするよう試みて立案されている。これらの試みにもかかわらず、電子機器／付属品を有して移動する際の課題のうちのいくつかを最小限に又は排除するよう鞄等と協働し、かかる機器／付属品の有効性を高めるシステムが立案されなければならない。
【特許文献１】米国特許第５，１０５，３３８号明細書
【特許文献２】米国特許第５，２１７，１１９号明細書
【特許文献３】米国特許第５，３７９，８９３号明細書
【特許文献４】米国特許第５，４００，９０３号明細書
【特許文献５】米国特許第５，４９４，１５７号明細書
【特許文献６】米国特許第５，５２４，７５４号明細書
【特許文献７】米国特許第５，６０７，０５４号明細書
【特許文献８】米国特許第５，６３９，００４号明細書
【特許文献９】米国特許第５，９７１，１４８号明細書
【特許文献１０】米国特許第６，０９８，７６９号明細書
【発明の開示】
【発明が解決しようとする課題】
【０００４】
本発明は、鞄に、その有効性を高めるよう多種の携帯可能な電子機器及び／又はワイヤレス機器と協働するインタフェースを与えることを目的とする。
【０００５】
本発明は、かかる鞄に、比較的最小限の空間を要求する電源を与えることを、他の目的とする。
【０００６】
本発明は、かかる鞄に、電源をリフレッシュするよう鞄の１つ又はそれ以上の車輪と協働する発電組立体を与えることを、更に他の目的とする。
【０００７】
本発明は、外部供給を介して電源をリフレッシュすることができるかかる鞄を与えることを、更に他の目的とする。
【０００８】
本発明は、かかる鞄に、多種の携帯可能な電子機器及び／又はワイヤレス機器の性能を向上するようアンテナを与えることを、更に他の目的とする。
【０００９】
本発明はまた、かかる鞄に、１つ又はそれ以上の電子機器及び／又はワイヤレス機器と協働し、その性能を高めるようワイヤレスの通信システムを与えること、を更に他の目的とする。
【課題を解決するための手段】
【００１０】
本発明のこれらの及び他の目的及び有利点は、インタフェース、電源、発電組立体、アンテナ、及びワイヤレス通信システム、あるいは同様のもののいずれかの組合せを有する鞄によって達成される。本発明は、多種の携帯機器の有効性を高め、かかる機器を携行するよう要求されるビジネスマンにとっての移動経験全体を最終的に向上させる。
【発明を実施するための最良の形態】
【００１１】
図面、特に図１を参照すると、本発明の具体例に従った１つの鞄が図示され、全体を参照符号１として示される。図示する通り鞄１は、１つ又はそれ以上の電子機器及び／又はワイヤレス機器２０，２２，２４，２６，２８と協働するインタフェース１０、電源３０、アンテナ４０、及びワイヤレス通信システム５０、又は同様のもののいずれかの組合せを、基本的に有する。
【００１２】
鞄１はまた、鞄１の移動を促進又は容易にするよう回転可能に接続された１つ又はそれ以上の車輪を有する回転性能を望ましくは有する。望ましくは、１つ又はそれ以上の車輪６０は、１つ又はそれ以上の車輪６０の回転動作を介して電力を生成するよう電気ハブモータ７０、又は同様の機器と協働する。加えて、鞄１は、テレスコピック・ハンドル又は伸縮ハンドル、及び／又は、より従来通りの手持ちハンドル等を有する１つ又はそれ以上のハンドル８０を有し得る。鞄１は、多種の仕切り、付属品、及び／又は、その効果的な使用を向上させるのに適切な他の特性のいずれかを更に有し得る。
【００１３】
インタフェース１０は、１つ又はそれ以上のコネクタ１５を望ましくは有する。望ましくは、１つ又はそれ以上のコネクタ１５は、ケーブル型接続、ドッキング型接続、無線型接続、赤外線型接続、及び／又はワイヤレス型接続を有する多種の接続の型を収容するよう適切である。加えて、インタフェース１０は、多種の異なる電子機器を与えるのに適切であるアダプタ性能、及び／又は電源コンセント／ソケットを有し得る。望ましくは、インタフェース１０は、通常の環境下では、いかなるワイヤレス使用可能機器とも協働し得る。かかる装置の例は、ＰＣ、ＰＤＡ、及びラップトップ型コンピュータだけではなく、車両、器械、キーボード、等のワイヤレス性能を有するいずれのものも有する。
【００１４】
１つ又はそれ以上の電子機器及び／又はワイヤレス機器２０，２２，２４，２６，２８は望ましくは携帯可能であり、例えば、ラップトップ型コンピュータ、ＰＤＡ、携帯電話、デジタルカメラ、携帯プリンタ、等である。本発明の範囲内の他の機器はまた、例えば、アイロン、バリカン／ひげそり器、ヘア・アイロン、ドライヤ、及び他の全ての携帯可能なパーソナルケア機器を有する。多種の他の電子機器はいずれも、本発明と協働することに対して適切であり得ることが、留意される。
【００１５】
電源３０は、望ましくは、鞄１に組み込まれた発電組立体７０を介して、及び／又は外部電源装置によって、充電され得る充電式バッテリである。発電組立体７０は、充電式バッテリ３０が鞄１の１つ又はそれ以上の車輪６０の回転する動作を介して充電され得るよう、鞄１の１つ又はそれ以上の車輪６０と望ましくは協働する。充電式バッテリ３０は、望ましくは、比較的平面である薄い側面を有しており、大幅に空間を取らないようにされる。充電式バッテリ３０は、鞄１の表面４２に選択的に接続され得るか、又は一体的に接続され得る。電源３０は、望ましくは、１つ又はそれ以上の電子機器及び／又はワイヤレス機器２０，２２，２４，２６，２８に一時的な電力を与えることに加えて、各特性が本発明に従って動作するのに必要であるインタフェース１０、アンテナ４０、及び／又はワイヤレス通信システム５０に電力を与えることができる。
【００１６】
アンテナ４０は、望ましくは、１つ又はそれ以上の電子機器及び／又はワイヤレス機器２０、２２、２４，２６，２８と、かかる装置の性能を高めるようインタフェース１０を介して又は直接に協働する。アンテナ４０は、望ましくは印刷導電インクであり得、望ましくは、鞄１の表面４２に一体化され得る。アンテナ４０は、また、１つ又はそれ以上の電子機器及び／又はワイヤレス機器２０，２２，２４，２６，２８の意図された目的を促進するのに適切である他の全ての形状を有し得る。例えば、アンテナ４０は、図４に示される通り、１つ又はそれ以上の導電繊維４６を有する繊維構造４４を有し得る。該構造は、鞄１を形成するよう使用された材料に一体化された、可撓性及び弾力性のある個別のアンテナを形成するよう織る、縫う、又は編むという既知の従来の方法に従って、１つ又はそれ以上の非導電繊維４８で編みこまれる。また、アンテナ４０は、異なる機能的必要性に適応するよう必要に応じて分離可能、調整可能、伸縮可能、及び／又は交換可能であり得る。
【００１７】
図２及び図３を参照すると、ワイヤレス通信システム５０は、望ましくは、１つ又はそれ以上の電子機器及び／又はワイヤレス機器２０，２２，２４，２６，２８と協働することができる１つ又はそれ以上のローカル・ネットワークのアクセス・ポイント５４と接続可能であるアクセス・サーバ５２を有する。ワイヤレス通信システム５０はまた、望ましくは、エリアネットワーク５６（ＬＡＮ，ＰＡＮ，ＷＡＮ等）と選択的に接続可能であり得る。該エリアネットワークは、１つ又はそれ以上の最終ステーション５８を有し、ワイヤレス通信システム５０が、周辺に現在存在するエリア・ネットワークと協働できるようにする。望ましくは、ワイヤレス通信システム５０は、インタネット等の遠隔通信ネットワーク５１に接続され得、ワイヤレス通信システム５０に接続された１つ又はそれ以上の電子機器及び／又はワイヤレス機器２０，２２，２４，２６，２８が、遠隔ユーザ５３及び／又は他の遠隔部５５のワイヤレス通信システムと通信できるようにする。ワイヤレス通信システム５０は、インタネット・インタフェース５７、エリア・ネットワーク・インタフェース５９、マイクロプロセッサ６１、メモリ６３、入力／出力機器６５、赤外線インタフェース６７、無線インタフェース６９、及び／又は、ＧＰＳインタフェース６２、ＧＰＲＳインタフェース６４、ＰＢＸインタフェース６６、及びＰＯＴＳ又はＰＳＴＮインタフェース６８等の目的を意図されたシステムに対して適切な他のいずれのシステムも有し得る。前述に加え、ワイヤレス通信システム５０は、自動的又は選択的に、複数の多様な接続を同時に又は個別に促進でき得る。更に、ワイヤレス通信システム５０はまた、認証及び／又は認証プロトコル等の安全対策を有し得る。
【００１８】
本発明は、最良の携帯に対して特定の参照を有して説明されてきたが、定義付けられた本発明の趣旨から逸脱することなく、多種の変更及び改善がなされ得ることは明らかである。
【図面の簡単な説明】
【００１９】
【図１】本発明の具体例に従った１つの鞄の斜視図である。
【図２】本発明の具体例に従ったワイヤレス通信システムの概略図である。
【図３】本発明の具体例に従った他の配置の該略図である。
【図４】本発明の具体例に従った繊維構造の平面図である。
【図１】
2007504922.tif 000003
【図２】
2007504922.tif 000004
【図３】
2007504922.tif 000005
【図４】
2007504922.tif 000006
【国際調査報告】
2007504922.tif 000007
2007504922.tif 000008
2007504922.tif 000009
2007504922.tif 000010
2007504922.tif 000011